(57)【要約】【課題】利用者端末同士で直接通信をすることなく、少ない手数で情報交換することができる【解決手段】本発明による情報交換システムは、センサを搭載した利用者端末と、利用者端末から受信したセンサが検出した検出情報に基づいて、複数の利用者端末間で所定の情報交換条件が成立したか否かを判定する条件判定手段と、条件判定手段によって所定の情報交換条件が成立したと判定されたことに基づいて、所定の情報交換条件が成立したと判定された利用者端末間で情報を交換するための処理を実行する処理実行手段とを備えたことを特徴とする。【選択図】図７
2010081021.tif 000002
【特許請求の範囲】
【請求項１】
センサを搭載した利用者端末と、
前記利用者端末から受信した前記センサが検出した検出情報に基づいて、複数の利用者端末間で所定の情報交換条件が成立したか否かを判定する条件判定手段と、
前記条件判定手段によって前記所定の情報交換条件が成立したと判定されたことに基づいて、前記所定の情報交換条件が成立したと判定された利用者端末間で情報を交換するための情報交換処理を実行する情報交換処理実行手段とを
備えたことを特徴とする情報交換システム。
【請求項２】
所定の情報交換条件が成立したと判定された各利用者端末を特定可能な情報交換対象端末情報を格納する情報交換対象端末情報格納手段と、
前記所定の情報交換条件が成立したと判定されたいずれかの利用者端末から情報送信要求を受信すると、前記情報交換対象端末情報格納手段が格納する前記情報交換対象端末情報に基づいて、前記情報送信要求を受信した利用者端末に対して、情報交換相手の利用者端末の情報を送信する情報送信手段とを備えた
請求項１記載の情報交換システム。
【請求項３】
所定の情報交換条件を示す情報交換条件情報を格納する情報交換条件情報格納手段を備え、
条件判定手段は、所定期間において複数の利用者端末から受信した検出情報に基づいて、前記情報交換条件情報格納手段が格納する前記情報交換条件情報に示される前記所定の情報交換条件が成立したか否かを判定する
請求項１又は請求項２記載の情報交換システム。
【請求項４】
条件判定手段は、判定結果を利用者端末に通知する
請求項１から請求項３のうちいずれか１項に記載の情報交換システム。
【請求項５】
センサを搭載した利用者端末と、
利用者端末間で情報を交換するための処理を行う情報交換装置と、
前記情報交換装置に対して処理の実行を指示する処理実行指示装置とを備え、
前記処理実行指示装置は、
前記利用者端末から受信した前記センサが検出した検出情報に基づいて、複数の利用者端末間で所定の情報交換条件が成立したか否かを判定する条件判定手段と、
前記条件判定手段によって前記所定の情報交換条件が成立したと判定されたことに基づいて、前記所定の情報交換条件が成立したと判定された利用者端末間で情報を交換するための情報交換処理の実行を指示する処理実行指示手段とを含み、
前記情報交換装置は、
前記処理実行指示装置からの指示に従って前記情報交換処理を実行する情報交換処理実行手段を含む
ことを特徴とする情報交換システム。
【請求項６】
処理内容を示す処理内容情報と当該処理内容の実行条件を示す実行条件情報とを対応付けて格納する照合条件情報格納手段と、
センサを搭載した利用者端末から受信した前記センサが検出したセンサ情報を格納するセンサ情報格納手段と、
前記照合条件情報格納手段が格納するいずれかの実行条件情報が、前記センサ情報格納手段が格納する所定期間内における複数の前記利用者端末から受信した前記センサ情報と合致しているか否かを判定する照合手段と、
前記照合手段による判定の結果と前記実行条件情報に対応付けられた処理内容情報とに基づいて要求処理を実行する処理割当手段とを
備えたことを特徴とする処理割当装置。
【請求項７】
照合手段は、判定結果を利用者端末に通知する
請求項６記載の処理割当装置。
【請求項８】
センサを搭載した利用者端末から受信した前記センサが検出した検出情報に基づいて、複数の利用者端末間で所定の情報交換条件が成立したか否かを判定する条件判定ステップと、
前記所定の情報交換条件が成立したと判定されたことに基づいて、前記所定の情報交換条件が成立したと判定された利用者端末間で情報を交換するための情報交換処理を実行するステップとを
含むことを特徴とする情報交換方法。
【請求項９】
所定の情報交換条件が成立したと判定された各利用者端末を特定可能な情報交換対象端末情報を格納するステップと、
前記所定の情報交換条件が成立したと判定されたいずれかの利用者端末から情報送信要求を受信すると、格納する前記情報交換対象端末情報に基づいて、前記情報送信要求を受信した利用者端末に対して、情報交換相手の利用者端末の情報を送信するステップとを含む
請求項８記載の情報交換方法。
【請求項１０】
センサを搭載した利用者端末がユーザによって操作されたときに前記センサが検出したセンサ情報を格納する格納ステップと、
所定の条件が、所定期間内に２以上の利用者端末に合致しているか否かを判定する判定ステップと、
前記判定の結果に基づいて、前記所定の条件に対応する処理の実行要求を送信する送信ステップとを
含むことを特徴とする処理割当方法。
【請求項１１】
判定ステップで、利用者端末に判定結果を通知する
請求項１０に記載の処理割当方法。
【請求項１２】
コンピュータに、
センサを搭載した利用者端末から受信した前記センサが検出した検出情報に基づいて、複数の利用者端末間で所定の情報交換条件が成立したか否かを判定する処理と、
前記所定の情報交換条件が成立したと判定されたことに基づいて、前記所定の情報交換条件が成立したと判定された利用者端末間で情報を交換するための情報交換処理を実行する処理とを
実行させるための情報交換用プログラム。
【請求項１３】
コンピュータに、
所定の情報交換条件が成立したと判定された各利用者端末を特定可能な情報交換対象端末情報を格納する処理と、
前記所定の情報交換条件が成立したと判定されたいずれかの利用者端末から情報送信要求を受信すると、格納する前記情報交換対象端末情報に基づいて、前記情報送信要求を受信した利用者端末に対して、情報交換相手の利用者端末の情報を送信する処理とを実行させる
請求項１２記載の情報交換用プログラム。
【請求項１４】
コンピュータに、
センサを搭載した利用者端末がユーザによって操作されたときに前記センサが検出したセンサ情報を格納する格納処理と、
所定の条件が、所定期間内に２以上の利用者端末に合致しているか否かを判定する判定処理と、
前記判定の結果に基づいて、前記所定の条件に対応する処理の実行要求を送信する送信処理とを
実行させるための処理割当用プログラム。
【請求項１５】
コンピュータに、
判定処理で、利用者端末に判定結果を通知する処理を実行させる
請求項１４に記載の処理割当用プログラム。
【発明の詳細な説明】
【技術分野】
【０００１】
本発明は、利用者端末を用いて情報交換をする情報交換システム、処理割当装置、情報交換方法、処理割当方法、情報交換用プログラム、及び処理割当用プログラムに関する。
【背景技術】
【０００２】
利用者が他者と個人情報を交換するシステムとして、個人情報の格納機能を備えている携帯端末を用いたシステムがある。例えば、特許文献１に記載されているシステムは、複数の携帯端末を含み、各携帯端末は、個人情報を格納する機能と、携帯端末同士で無線通信を行う機能とを備えている。
【０００３】
特許文献１に記載されているシステムでは、利用者が他者と個人情報を交換するよう携帯端末を操作すると、携帯端末は、利用者の操作に従って、格納している個人情報を無線通信機能を用いて互いの携帯端末間で送受信することによって個人情報の交換を行う。
【０００４】
また、特許文献２に記載されているシステムでは、携帯端末は、個人情報を格納する代わりに、個人情報を取得するためのＵＲＬ情報を格納している。そして、携帯端末間でこのＵＲＬ情報を交換することによって間接的に個人情報の交換を実現している。
【０００５】
また、特許文献３に記載されているシステムでは、携帯電話機は、位置情報や権利情報、参加したいイベント情報等をサーバに送信する。そして、サーバは、位置情報が予め定められたエリア内に存在し、かつ、権利情報やイベント情報等が予め定められたコミュニケーション条件に合致した場合、コミュニティへの参加を許可し、携帯電話機同士のコミュニケーションを仲介する処理を行う。
【０００６】
また、特許文献４に記載されているシステムでは、携帯電話機は、利用したいグループや項目を選択してＰｏｃサーバに送信する。そして、Ｐｏｃサーバは、携帯電話機の位置情報を取得し、位置付近のグループ及び会話が可能なメンバ情報を抽出して、携帯電話機に送信することによって、Ｐｏｃによるユーザ同士の会話を可能にする。
【０００７】
【特許文献１】特開平０２−０３２８９６
【特許文献２】特開２００４−１３９５２５
【特許文献３】特開２００５−３４６２９９（段落００９１−０１０４）
【特許文献４】特開２００７−１５０９８５（段落００３５−００４０）
【発明の開示】
【発明が解決しようとする課題】
【０００８】
しかし、特許文献１や特許文献２に記載されたシステムは、携帯端末同士が直接無線通信を行うため、端末が端末同士の直接無線通信機能を備えている必要がある。そのため、どちらか一方の携帯端末が端末同士の直接無線通信機能を備えていなければ、情報交換を行うことはできない。
【０００９】
また、特許文献３や特許文献４に記載されたシステムでは、携帯電話機は、サーバによって他の携帯電話機との接続を確立する処理が行われた後に、接続が確立された他の携帯電話機とサーバを介して通信を行う。そのため、他者と情報交換を行うためには、まずサーバを介して他の携帯電話機との接続を確立するための操作を行い、その後、情報交換を行うための操作を行わなければならず、ユーザの手間がかかる。
【００１０】
そこで、本発明は、利用者端末同士で直接通信をすることなく、少ない手数で情報交換することができる情報交換システム、処理割当装置、情報交換方法、処理割当方法、情報交換用プログラム、及び処理割当用プログラムを提供することを目的とする。
【課題を解決するための手段】
【００１１】
本発明による情報交換システムは、セセンサを搭載した利用者端末と、利用者端末から受信したセンサが検出した検出情報に基づいて、複数の利用者端末間で所定の情報交換条件が成立したか否かを判定する条件判定手段と、条件判定手段によって所定の情報交換条件が成立したと判定されたことに基づいて、所定の情報交換条件が成立したと判定された利用者端末間で情報を交換するための情報交換処理を実行する情報交換処理実行手段とを備えたことを特徴とする。
【００１２】
本発明による処理割当装置は、処理内容を示す処理内容情報と当該処理内容の実行条件を示す実行条件情報とを対応付けて格納する照合条件情報格納手段と、センサを搭載した利用者端末から受信したセンサが検出したセンサ情報を格納するセンサ情報格納手段と、照合条件情報格納手段が格納するいずれかの実行条件情報が、センサ情報格納手段が格納する所定期間内における複数の利用者端末から受信したセンサ情報と合致しているか否かを判定する照合手段と、照合手段による判定の結果と実行条件情報に対応付けられた処理内容情報とに基づいて要求処理を実行する処理割当手段とを備えたことを特徴とする。
【００１３】
本発明による情報交換方法は、センサを搭載した利用者端末から受信したセンサが検出した検出情報に基づいて、複数の利用者端末間で所定の情報交換条件が成立したか否かを判定する条件判定ステップと、所定の情報交換条件が成立したと判定されたことに基づいて、所定の情報交換条件が成立したと判定された利用者端末間で情報を交換するための情報交換処理を実行するステップとを含むことを特徴とする。
【００１４】
本発明による処理割当方法は、センサを搭載した利用者端末がユーザによって操作されたときにセンサが検出したセンサ情報を格納する格納ステップと、所定の条件が、所定期間内に２以上の利用者端末に合致しているか否かを判定する判定ステップと、判定の結果に基づいて、所定の条件に対応する処理の実行要求を送信する送信ステップとを含むことを特徴とする。
【００１５】
本発明による情報交換用プログラムは、コンピュータに、センサを搭載した利用者端末から受信したセンサが検出した検出情報に基づいて、複数の利用者端末間で所定の情報交換条件が成立したか否かを判定する処理と、所定の情報交換条件が成立したと判定されたことに基づいて、所定の情報交換条件が成立したと判定された利用者端末間で情報を交換するための情報交換処理を実行する処理とを実行させるためのものである。
【００１６】
本発明による処理割当用プログラムは、コンピュータに、センサを搭載した利用者端末がユーザによって操作されたときにセンサが検出したセンサ情報を格納する格納処理と、所定の条件が、所定期間内に２以上の利用者端末に合致しているか否かを判定する判定処理と、判定の結果に基づいて、所定の条件に対応する処理の実行要求を送信する送信処理とを実行させるためのものである。
【発明の効果】
【００１７】
本発明によれば、利用者端末同士で直接通信をすることなく、少ない手数で情報交換することができる。
【発明を実施するための最良の形態】
【００１８】
以下、本発明の実施形態について図面を参照して説明する。図１は、本発明による情報交換システムの構成の一例を示すブロック図である。図１に示すように、情報交換システムは、処理割当装置１００と、利用者情報管理装置３００と、複数の利用者端末２００とを含む。また、処理割当装置１００と、利用者端末２００とは、携帯電話網やインターネット等の通信ネットワークによって実現されるネットワーク５０を介して相互に接続されている。なお、図１では、２つの利用者端末２００を示しているが、情報交換システムでは、２つ以上の利用者端末２００を含んでもよい。
【００１９】
処理割当装置１００は、具体的には、プログラムに従って動作するパーソナルコンピュータ等の情報処理装置によって実現される。図１に示すように、処理割当装置１００は、照合部１１０と、処理割当部１２０と、照合条件情報格納部１３０と、センサ情報格納部１４０とを含む。
【００２０】
照合部１１０は、具体的には、プログラムに従って動作する情報処理装置のＣＰＵ及びネットワークインターフェース部によって実現される。照合部１１０は、センサ情報格納部１４０が格納するセンサ情報と、照合条件情報格納部１３０が格納する照合条件情報４２０とに基づいて、外部装置（本実施形態では、例えば、後述する利用者情報管理装置３００）によって実行すべき処理を判断する機能を備えている。また、照合部１１０は、上記の判断結果に基づいて、処理割当に関する情報を処理割当部１２０に送信する機能を備えている。
【００２１】
処理割当部１２０は、具体的には、プログラムに従って動作する情報処理装置のＣＰＵ及びネットワークインターフェース部によって実現される。処理割当部１２０は、照合部１１０から受信した処理割当に関する情報に基づいて、外部装置に処理を実行させる機能を備えている。
【００２２】
照合条件情報格納部１３０は、具体的には、磁気ディスク装置や光ディスク装置等の記憶装置によって実現される。照合条件情報格納部１３０は、外部装置により実行すべき処理の内容を示す情報と、その処理の実行条件を示す情報とを対応付けて含む照合条件情報を格納する。
【００２３】
センサ情報格納部１４０は、具体的には、磁気ディスク装置や光ディスク装置等の記憶装置によって実現される。センサ情報格納部１４０は、処理割当装置１００が利用者端末２００から受信した利用者ＩＤとセンサ情報とを対応付けて格納する。
【００２４】
利用者端末２００は、利用者によって保持される端末である。利用者端末２００は、具体的には、プログラム制御により動作する携帯電話機やＰＤＡ等の携帯型の情報処理装置によって実現される。図１に示すように、利用者端末２００は、制御部２１０と、センサ部２２０と、ＩＤ格納部２３０とを含む。
【００２５】
制御部２１０は、具体的には、プログラムに従って動作するＣＰＵ等によって実現される。制御部２１０は、利用者端末２００が備える機能や各構成部２２０〜２３０を制御する機能を備えている。
【００２６】
センサ部２２０は、具体的には、加速度センサや音声センサ、指紋センサ、キー/ボタン等によって実現される。センサ部２２０は、利用者による利用者端末２００の操作情報を取得（検出）する機能を備えている。
【００２７】
ＩＤ格納部２３０は、具体的には、メモリ等の記憶装置によって実現される。ＩＤ格納部２３０は、利用者端末固有の識別情報を格納する。
【００２８】
利用者情報管理装置３００は、具体的には、プログラムに従って動作するパーソナルコンピュータ等の情報処理装置によって実現される。図１に示すように、利用者情報管理装置３００は、情報交換部３１０と、利用者情報格納部３２０と、利用者情報提供部３３０とを含む。
【００２９】
情報交換部３１０は、具体的には、プログラムに従って動作する情報処理装置のＣＰＵ及びネットワークインターフェース部によって実現される。情報交換部３１０は、利用者同士の情報交換処理を実行する機能を備えている。
【００３０】
利用者情報格納部３２０は、具体的には、磁気ディスク装置や光ディスク装置等の記憶装置によって実現される。利用者情報格納部３２０は、利用者に関する情報を格納する。
【００３１】
利用者情報提供部３３０は、具体的には、プログラムに従って動作する情報処理装置のＣＰＵ及びネットワークインターフェース部によって実現される。利用者情報提供部３３０は、利用者情報格納部が格納する情報を提供（送信）する機能を備えている。
【００３２】
図２は、利用者情報格納部３２０が格納する利用者個人情報４００の一例である。図２に示すように、利用者個人情報４００は、利用者ＩＤ４０１と利用者情報４０２とを対応付けて含む。図２に示す例によると、利用者個人情報４００は、利用者情報４０２として、氏名情報と所属情報とを含む。なお、上記の利用者情報４００の構成は一例であり、上記の例以外にも、役職情報や住所情報、電話番号等の任意の個人情報を利用者情報４０２として含んでいてもよい。なお、図２に示す利用者個人情報４００は、例えば、各利用者端末２００から予め登録情報として送信され、利用者情報格納部３２０に登録される。
【００３３】
図３は、利用者情報格納部３２０が格納する利用者関係情報４１０の一例である。図３に示すように、利用者関係情報４１０は、利用者ＩＤ４１１と交換相手ＩＤ４１２とを対応付けて含む。交換相手ＩＤ４１２は、利用者ＩＤ４１１の利用者が過去に個人情報の交換処理を実行したことがある利用者の利用者ＩＤの集合を意味する。例えば、「利用者ＩＤ４１１：００１，交換相手ＩＤ４１２：００３，００５」という行は、利用者ＩＤが００１である利用者が、利用者ＩＤが００３の利用者、及び利用者ＩＤが００５の利用者と個人情報の交換処理を過去に実行したことがあることを示す。
【００３４】
図４は、照合条件情報格納部１３０が格納する照合条件情報４２０の一例である。図４に示すように、照合条件情報４２０は、条件４２１と処理内容４２２とを対応付けて含む。図４の例によると、処理内容４２２「該当端末同士で利用者情報を交換する」に対応する条件４２１は、「端末が上下方向に３回連続して振られた」であることを示している。なお、処理内容４２２の記述形式は、処理割当部１２０による認識と実行とが可能な形式であれば任意の形式でよい。また、条件４２１の記述形式は、照合部１１０による認識が可能な形式であれば任意の形式でよい。
【００３５】
なお、処理割当装置１００と利用者情報管理装置３００とを別々の装置として実現するのではなく、１つの情報処理装置を用いて実現してもよい。
【００３６】
次に、動作について説明する。図５は、情報交換システムが実行する処理例を示す流れ図である。なお、利用者端末２００のＩＤ格納部２３０は、当該利用者端末２００を利用する利用者の利用者ＩＤを事前に格納している。また、利用者端末２００の制御部２１０は、常時、センサ部２２０を監視している。
【００３７】
まず最初に、利用者は、利用者間で情報（例えば、名刺情報）を交換したい場合、利用者端末２００を操作（例えば、利用者端末２００を上下に振動させる）する。すると、センサ部２２０は、利用者の操作に従って振動を検出する。例えば、センサ２２０が加速度センサである場合には、振動を検出し、加速度を出力する。
【００３８】
センサ部が何らかの情報（例えば、加速度センサが検出した加速度）を取得（検出）すると、制御部２１０は、センサ部２２０が取得（検出）した情報とＩＤ格納部２３０が格納している利用者ＩＤとを、ネットワーク５０を介して処理割当装置１００の照合部１１０に送信する（ステップＳ１０）。
【００３９】
なお、制御部２１０は、センサ部２２０が取得（検出）した情報をそのまま送信するのではなく、何らかの解析処理を実行してから送信してもよい。具体的には、例えば、加速度センサが取得（検出）した情報を扱う場合、制御部２１０は、加速度センサが取得（検出）した情報をそのまま送信する代わりに、加速度センサが取得（検出）した情報から利用者端末のマクロな動作の情報（例えば、加速度センサは上下に振られたことを示す情報等）に変換して送信してもよい。
【００４０】
次に、照合部１１０は、利用者端末２００から利用者ＩＤとセンサ情報とを受信すると、照合処理を行う（ステップＳ２０）。以下、照合部１１０による照合処理の詳細を図を用いて説明する。
【００４１】
図６は、照合部１１０によるステップＳ２０の照合処理の流れを示すフローチャートである。照合部１１０は、利用者端末２００から利用者ＩＤとセンサ情報とを受信すると、受信した利用者ＩＤとセンサ情報とを対応付けてセンサ情報格納部１４０に格納する（ステップＳ２１）。
【００４２】
次に、照合部１１０は、センサ情報格納部１４０が格納するセンサ情報と照合条件情報格納部１３０が格納する照合条件情報４２０とを参照する。そして、照合部１１０は、センサ情報格納部１４０が格納する過去の所定期間における複数の利用者端末２００のセンサ情報と合致する条件４２１が照合条件情報４２０に存在するか否かを判定する（ステップＳ２２）。
【００４３】
ここで、「所定期間」の長さは、システムの運用者によって定められる。例えば、所定期間が３秒であり、条件４２１が「端末が上下方向に３回連続して振られた」である場合、照合部１１０は、過去３秒以内に複数の利用者端末２００において「端末が上下方向に３回連続して振られた」というセンサ情報が存在するか否かを判定する。条件４２１とセンサ情報とが合致するか否かの判定は、具体的には、例えば、センサ情報として記憶する加速度パターンと、「端末が上下方向に３回連続して振られた」場合の加速度パターンとが合致するか否かを判定する。
【００４４】
ステップＳ２２において、合致する条件４２１が存在しないと判定された場合、照合部１１０は、照合処理を終了する。
【００４５】
ステップＳ２２において、合致する条件４２１が存在すると判定された場合、照合部１１０は、条件４２１と合致した全ての利用者端末２００の利用者ＩＤの集合をセンサ情報格納部１４０から抽出する。また、当該条件４２１と対応付けられた処理内容４２２を照合条件情報格納部１３０から抽出する。そして、抽出したそれらの情報を含む処理割当情報を処理割当部１２０に送信する（ステップＳ２３）。その後、照合部１１０は、照合処理を終了する。
【００４６】
例えば、上記の条件４２１と、利用者ＩＤが００４及び００５の利用者端末２００からのセンサ情報とが合致していた場合、照合部１１０が処理割当部１２０に送信する処理割当情報の内容は、「利用者ＩＤ集合：「００４，００５」，処理内容：「該当端末同士で利用者情報を交換する」」となる。なお、処理割当情報の形式は、処理割当部１２０による認識と実行とが可能な形式であれば任意の形式でよい。
【００４７】
次に、処理割当部１２０は、照合部１１０から受信した処理割当情報に基づいて、処理の割当を実行する。例えば、「利用者ＩＤ集合：「００４，００５」，処理内容：「該当端末同士で利用者情報を交換する」」という処理割当情報を受信すると、処理割当部１２０は、利用者情報管理装置３００に、利用者ＩＤ「００４」と「００５」とを指定して、利用者情報４０２の交換処理要求を送信する。
【００４８】
利用者情報管理装置３００は、外部（例えば、処理割当部１２０等）から情報交換要求を受信すると、受信した情報交換要求に基づいて、情報交換処理を実行する（ステップＳ３０）。なお、本実施形態では、「情報交換処理」とは、後術するように、利用者からの要求に応じて、いつでも情報交換相手の情報を閲覧可能な状態とする処理である。
【００４９】
具体的には、例えば、利用者ＩＤ「００４」と「００５」とを指定した情報交換要求を受信すると、情報交換部３１０は、利用者情報格納部３２０が格納する利用者関係情報４１０において、利用者ＩＤ「００４」と対応付けられている交換相手ＩＤ４１２に利用者ＩＤ「００５」を追加する。また、情報交換部３１０は、利用者情報格納部３２０が格納する利用者関係情報４１０において、利用者ＩＤ「００５」と対応付けられている交換相手ＩＤ４１２に利用者ＩＤ「００４」を追加する。
【００５０】
以上の処理により、情報交換処理は完了する。次に、交換した情報を閲覧する処理について説明する。
【００５１】
交換した情報を閲覧する場合、利用者は、ネットワーク５０に接続された情報処理端末（図示せず）を用いて、情報交換した他者の個人情報を閲覧する操作を行う。すると、情報処理端末は、利用者の操作に従って、利用者情報管理装置３００に情報提供要求を送信する。なお、情報処理端末は、具体的には、ネットワーク接続機能とディスプレイ装置等の表示装置とを備えた携帯電話機や、ＰＤＡ、パーソナルコンピュータ等によって実現される。
【００５２】
利用者情報提供部３３０は、情報処理端末から情報提供要求を受信すると、利用者情報格納部３２０が格納する利用者関係情報４１０を参照し、当該利用者に対応付けられた交換相手ＩＤ４１２から情報提供要求に基づいて相手の利用者ＩＤを抽出する。そして、利用者情報提供部３３０は、利用者情報格納部３２０が格納する利用者個人情報４００から、抽出した利用者ＩＤに対応付けられた利用者情報４０２を抽出し、情報処理端末に送信する。
【００５３】
情報処理端末は、利用者情報提供部３３０から利用者情報４０２を受信すると、受信した利用者情報４０２を情報処理端末が備えている表示装置を用いて表示する。以上の処理により、利用者は、情報交換した他人の個人情報を閲覧することができる。
【００５４】
なお、上記の利用者情報管理装置３００が備えている構成及び動作は一例であり、利用者情報の交換処理の要求に基づいて交換履歴を記録し、その交換履歴に基づいて、利用者情報４０２を提供（送信）することが可能であれば、任意の構成及び処理方法を用いて構わない。
【００５５】
以上のように、本実施形態によれば、例えば、複数の利用者が、自身の利用者端末２００を３回振る動作を同時に行うことにより、当該利用者間での情報交換処理が実行される。従って、利用者端末同士での直接の通信処理をすることなく、個人情報の交換処理を実行することができる。
【００５６】
また、処理割当装置１００は、利用者端末２００から受信したセンサ情報と予め定められた条件４２１とを照合し、合致すれば条件４２１に対応付けられた処理内容４２２を実行させる。そのため、他の端末との接続確立のための複雑なキー操作等を行わなくても、端末を振る等の簡易な操作を一度行うだけで情報交換を行うことができ、情報交換の際の手間を軽減することができる。
【００５７】
なお、本実施形態では、利用者端末２００のＩＤ格納部２３０は、利用者ＩＤを格納するとしていたが、処理割当装置１００又は利用者情報管理装置３００において、利用者ＩＤとの対応付けが可能なＩＤ情報であれば、任意のＩＤ（例えば、端末ＩＤ）情報を格納し、用いるようにしてもよい。
【００５８】
また、本実施形態では、照合部１１０は、ステップＳ１２において、利用者端末２００から受信したセンサ情報と条件４２１とを用いて処理実行の判定を行うとしていたが、処理実行の判定に、利用者端末２００同士の関係情報を用いるとしてもよい。具体的には、例えば、利用者端末２００の位置情報を測定し、利用者端末２００間の距離が所定の値以内であるか否かということを条件に加えてもよい。
【００５９】
また、本実施形態では、照合部１１０は、ステップＳ２３において、処理割当情報を処理割当部１２０に送信し、その後照合処理を終了すると説明していたが、照合部１１０は、処理割当情報を処理割当部１２０に送信し、その後照合処理の割当結果情報を利用者に通知するとしてもよい。
【００６０】
利用者に通知する方法は、具体的には、例えば、照合部１１０が、処理の実行対象となった利用者端末２００が備えている画面表示装置等に処理内容情報を出力（表示）させる方法がある。また、照合部１１０が、利用者端末２００の最寄りのディスプレイ装置に処理内容情報を出力（表示）させて利用者に通知する方法を用いてもよい。これにより、利用者は直ちにに処理の実行を知ることができる。
【００６１】
次に、本発明による情報交換システムの最小構成について説明する。図７は、情報交換システムの最小の構成例を示すブロック図である。図７に示すように、情報交換システムは、最小の構成要素として、処理割当装置１００と、利用者端末２００と、利用者情報管理装置３００とを含む。また、処理割当装置１００は、照合部１１０を含む。また、利用者端末２００は、センサ部２００を含む。また、利用者情報管理装置３００は、情報交換部３１０を含む。
【００６２】
図７に示す最小構成の情報交換システムによれば、センサ部２２０は、利用者端末がユーザによって操作されると、ユーザの操作に従ってセンサ情報を検出し、照合部に送信する。そして、照合部１１０は、受信したセンサ情報に基づいて複数の利用者端末間で所定の情報交換条件が成立したか否かを判定する。そして、情報交換部３１０は、成立したと判定されたことに基づいて、情報交換条件が成立したと判定された利用者端末間で情報を交換するための処理を実行する。
【００６３】
つまり、図７に示す最小構成の情報交換システムは、例えば、複数の利用者が、利用者端末２００を用いて同じ操作を行うことで、当該利用者間での情報交換を行うことができる。
【００６４】
なお、本実施形態では、以下の（１）〜（５）に示すような情報交換システムの特徴的構成が示されている。
【００６５】
（１）情報交換システムは、センサ（例えば、センサ部２２０）を搭載した利用者端末（例えば、利用者端末２００）と、利用者端末から受信したセンサが検出した検出情報（例えば、センサ情報）に基づいて、複数の利用者端末間で所定の情報交換条件が成立したか否かを判定する条件判定手段（例えば、照合部１１０によって実現される）と、条件判定手段によって所定の情報交換条件が成立したと判定されたことに基づいて、所定の情報交換条件が成立したと判定された利用者端末間で情報を交換するための情報交換処理を実行する情報交換処理実行手段（例えば、情報交換部３１０によって実現される）とを備えたことを特徴とする。
【００６６】
（２）情報交換システムは、所定の情報交換条件が成立したと判定された各利用者端末を特定可能な情報交換対象端末情報を格納する情報交換対象端末情報格納手段（例えば、利用者情報格納部３２０によって実現される）と、所定の情報交換条件が成立したと判定されたいずれかの利用者端末から情報送信要求を受信すると、情報交換対象端末情報格納手段が格納する情報交換対象端末情報に基づいて、情報送信要求を受信した利用者端末に対して、情報交換相手の利用者端末の情報を送信する情報送信手段（例えば、利用者情報提供部３３０によって実現される）とを備えたことを特徴とする。
【００６７】
（３）情報交換システムは、所定の情報交換条件を示す情報交換条件情報を格納する情報交換条件情報格納手段（例えば、照合条件情報格納部１３０によって実現される）を備え、条件判定手段は、所定期間において複数の利用者端末から受信した検出情報に基づいて、情報交換条件情報格納手段が格納する情報交換条件情報に示される所定の情報交換条件が成立したか否かを判定するよう構成されていてもよい。
【００６８】
（４）情報交換システムにおいて、条件判定手段は、判定結果を利用者端末に通知するよう構成されていてもよい。
【００６９】
（５）情報交換システムは、センサ（例えば、センサ部２２０）を搭載した利用者端末（例えば、利用者端末２００）と、利用者端末間で情報を交換するための処理を行う情報交換装置（例えば、利用者情報管理装置３００）と、情報交換装置に対して処理の実行を指示する処理実行指示装置（例えば、処理割当装置１００）とを備え、処理実行指示装置は、利用者端末から受信したセンサが検出した検出情報に基づいて、複数の利用者端末間で所定の情報交換条件（例えば、条件４２１）が成立したか否かを判定する条件判定手段（例えば、照合部１１０によって実現される）と、条件判定手段によって所定の情報交換条件が成立したと判定されたことに基づいて、所定の情報交換条件が成立したと判定された利用者端末間で情報を交換するための情報交換処理の実行を指示する処理実行指示手段（例えば、処理割当部１２０によって実現される）とを含み、情報交換装置は、処理実行指示装置からの指示に従って情報交換処理を実行する情報交換処理実行手段（例えば、情報交換部３１０）を含むことを特徴とする。
【産業上の利用可能性】
【００７０】
本発明は、利用者端末を用いて情報交換をする用途に適用できる。
【図面の簡単な説明】
【００７１】
【図１】本発明による情報交換システムの構成の一例を示すブロック図である。
【図２】利用者情報格納部３２０が格納する利用者個人情報４００の一例である。
【図３】利用者情報格納部３２０が格納する利用者関係情報４１０の一例である。
【図４】照合条件情報格納部１３０が格納する照合条件情報４２０の一例である。
【図５】情報交換システムが実行する処理例を示す流れ図である。
【図６】照合部１１０による照合処理の流れを示すフローチャートである。
【図７】情報交換システムの最小の構成例を示すブロック図である。
【符号の説明】
【００７２】
５０  ネットワーク
１００  処理割当装置
１１０  照合部
１２０  処理割当部
１３０  照合条件情報格納部
１４０  センサ情報格納部
２００  利用者端末
２１０  制御部
２２０  センサ部
２３０  ＩＤ格納部
３００  利用者情報管理装置
３１０  情報交換部
３２０  利用者情報格納部
３３０  利用者情報提供部
４００  利用者個人情報
４０１  利用者ＩＤ
４０２  利用者情報
４１０  利用者関係情報
４１１  利用者ＩＤ
４１２  交換相手ＩＤ
４２０  照合条件情報
４２１  条件
４２２  処理内容
【図１】
2010081021.tif 000003
【図２】
2010081021.tif 000004
【図３】
2010081021.tif 000005
【図４】
2010081021.tif 000006
【図５】
2010081021.tif 000007
【図６】
2010081021.tif 000008
【図７】
2010081021.tif 000009